(57)【要約】  健康管理システムは、患者識別情報の入力を可能にするユーザインタフェースを有する。関連付け装置又は手段は、医療モニタリング装置により取得された生体データを入力された患者識別情報とを関連付ける。
2009520282.tif 000002
【特許請求の範囲】
【請求項１】
患者識別情報の入力を可能にするユーザインタフェースと、
医療モニタリング装置により取得された生体データを前記入力された患者識別情報と関連付ける関連付け装置又は手段と、
を有する健康管理システム。
【請求項２】
識別コンポーネントが欠落した複数の医療モニタリング装置をさらに有し、
各医療モニタリング装置は、１以上の患者の生体データを取得するよう構成される、請求項１記載のシステム。
【請求項３】
前記患者識別情報が入力されると、患者生体データ取得セッションをオープンする識別装置又は手段をさらに有する、請求項１記載のシステム。
【請求項４】
前記関連付け装置又は手段は、前記データ取得セッションのオープンから所定時間内に取得されたすべての生体データを識別された患者と関連付ける、請求項３記載のシステム。
【請求項５】
前記生体データ取得セッションを停止し、前記識別された患者を前記医療モニタリング装置から自動的に関連付けを解除するセッションストップ装置又は手段をさらに有し、
前記関連付け解除後、前記関連付けを解除された医療モニタリング装置は、他の患者による使用の準備をする、請求項３記載のシステム。
【請求項６】
複数の患者から以前に取得した生体データの移行の手動により入力された患者識別情報を可能にするソータをさらに有し、
前記関連付け装置又は手段は、前記医療モニタリング装置により取得された生体データを前記以降に入力された患者識別情報に関連付ける、請求項１記載のシステム。
【請求項７】
識別された患者からの対象アイテムを含む少なくとも１つの入力を提供する少なくとも１つのフィードバックパスと、
前記対象アイテムに少なくとも基づき教育コンテンツセッションの提示を自動的にスタートするよう構成されるコンテンツフロールールと、患者が自らを識別させるときのコンテンツフロールールとを含むコンテンツフローエンジンと、
をさらに有し、
各コンテンツセッションは、健康管理目標を達成することに関するものである、請求項１記載のシステム。
【請求項８】
前記少なくとも１つのフィードバックパスは、前記医療モニタリング装置により提供され、
前記少なくとも１つの入力は、前記医療モニタリング装置により取得される生体データを含む、請求項７記載のシステム。
【請求項９】
識別された患者から取得した生体データにおけるトリガーイベントに応答して、反射的サーベイを生成するサーベイサーバをさらに有する、請求項７記載のシステム。
【請求項１０】
患者の医療生体データを取得するため患者ステーションに配置された複数の生体装置と、
前記患者ステーションに割り当てられ、前記患者の取得した医療生体データをリモートステーションに送信するため、前記患者ステーションの生体装置と通信する測定ゲートウェイと、
ユーザによる患者識別情報の手動による入力を可能にし、前記生体装置の外部に配置される外部装置と、
前記入力された患者識別情報と各生体装置により取得された生体データとを関連付ける関連付けコンピュータルーチンと、
を有する健康管理システム。
【請求項１１】
前記関連付けコンピュータルーチンは、
以降に取得する患者データと以前に手動により入力された患者識別情報とを関連付け、
以前に取得した患者データと以降に手動により入力される患者識別情報とを関連付ける、
ことの少なくとも１つを行う、請求項１０記載のシステム。
【請求項１２】
前記関連付けコンピュータルーチンはさらに、
前記手動により入力された患者識別情報を受け付け、
前記取得した生体データを受け付け、
前記取得した生体データと前記識別された患者とを関連付け、
前記生体データ取得セッションが手動によりクローズされるか、又はタイムアウトすると、前記識別された患者を前記医療装置から自動的に関連付けを解除する、請求項１０記載のシステム。
【請求項１３】
１以上の患者の生体データを識別コンポーネントが欠落した生体医療装置によって取得するステップと、
前記医療装置により取得した生体データと患者識別情報とを関連付けるステップと、
を有する健康管理方法。
【請求項１４】
前記患者識別情報は、前記生体医療データを取得するステップの前に入力され、
前記患者識別情報がユーザインタフェースを介し入力された後、生体医療データ取得セッションをトリガーするステップをさらに有する、請求項１３記載の方法。
【請求項１５】
前記関連付けるステップは、所定時間内に取得された生体データと前記ユーザインタフェースを介し識別された患者とを関連付けることを含む、請求項１４記載の方法。
【請求項１６】
前記生体データ取得セッションから抜け出すステップと、
前記識別された患者を前記医療装置から関連付けを解除するステップと、
をさらに有する、請求項１４記載の方法。
【請求項１７】
前記患者識別情報を入力するステップは、
前記医療生体データを取得するステップの後、各患者によって前記取得された医療生体データを識別するステップと、
前記識別された医療生体データと各患者とを関連付けるステップと、
を含む、請求項１３記載の方法。
【請求項１８】
前記患者識別情報を入力するステップは、
前記医療生体データを取得するステップの後、各患者の新たに取得された医療生体データと各患者の対応する以前に取得した医療生体データとを比較することによって、前記取得した医療生体データを自動的にソートするステップと、
各患者の医療生体データを識別するステップと、
前記識別された医療生体データと各患者とを関連付けるステップと、
を含む、請求項１３記載の方法。
【請求項１９】
前記患者のモニタリングセッションをスタートするステップと、
ユーザインタフェースを介し前記患者識別情報を手動により入力するステップと、
前記患者識別情報が手動により入力された後、生体医療データ取得セッションをトリガーするステップと、
前記取得した生体データと前記識別された患者とを関連付けるステップと、
前記生体データ取得セッションをクローズするステップと、
前記生体データ取得セッションがクローズされると、前記識別された患者を前記医療装置から自動的に関連付けを解除するステップと、
前記取得した生体データを確認するステップと、
をさらに有する、請求項１３記載の方法。
【請求項２０】
前記識別された患者の生体データの確認に基づき、前記識別された患者に対するサーベイを生成するか、又は前記識別された患者に対する教育コンテンツセッションを生成するステップをさらに有する、請求項１９記載の方法。
【請求項２１】
請求項１３の方法を実行する健康管理システム。
【請求項２２】
医療装置から患者医療情報を受け付けるゲートウェイと、
患者識別情報の手動による入力を可能にし、前記医療装置の外部に配置される外部装置と、
前記受け付けた患者医療情報と、該患者医療情報の受付前又は受付後に入力された前記手動により入力された患者識別情報とを関連付ける関連付け装置と、
を有する制御モジュール。
【請求項２３】
複数の患者による医療情報へのアクセスを可能にする患者ステーションと、
特定の患者ケアプラン又は患者データへのアクセスを可能にする患者に固有のパスワード又はパスコードの入力を可能にするユーザインタフェースと、
前記アクセスされた患者ケアプラン又は患者データを提供するディスプレイと、
を有する健康管理システム。
【請求項２４】
第２装置に設けられる第２インタフェースをさらに有し、
前記第２インタフェースは、前記患者に固有のパスワード又はパスコードを入力するのに利用可能である、請求項２３記載のシステム。
【請求項２５】
セカンダリーパスワード又はパスコードが、特定の患者ケアプラン又は患者データへのアクセスを可能にするため入力可能である、請求項２３記載のシステム。
【請求項２６】
前記セカンダリーパスワード又はパスコードは、特定の患者ケアプラン又は患者データへのアクセス制限されたアクセスを可能にする、請求項２５記載のシステム。
【発明の詳細な説明】
【技術分野】
【０００１】
以下は、健康管理分野に関する。それは、患者の識別及び関連付けに関して、家庭における医療装置への特定の適用を見出し、それを参照して説明される。しかしながら、本発明はまた老人ホーム、支援施設、薬局、コミュニティセンターなどにおける患者のモニタリングに関する適用を見出すであろう。
【背景技術】
【０００２】
外来又は遠隔的な医療管理システムは、典型的には慢性疾病患者と医療提供者とを、例えば、患者の自宅のテレビ装置をインタラクティブに利用するインタラクティブな医療通信プラットフォームを介し接続する。患者は、自宅に設置されている医療装置を使用して、血圧、心拍、血液酸素、体重などのバイタルサインを測定する。患者の生体データは、セキュアな信号接続リンクを介し監視している医療提供者に自動的に送信される。医療提供者は、バイタルサインの１つが通常の範囲外にある場合、医師のチェックのためのフラグをセットすることによって患者の健康をモニタする。さらに、医療スタッフは、リマインダ、教育ビデオなどを送信することによって患者をサポートすることができる。
【発明の開示】
【発明が解決しようとする課題】
【０００３】
リモート医療管理システムは、１つの場所においる１人の患者については良好に機能するが、患者の多くは高齢であり、その配偶者もまた医療上の問題を有している、高齢のカップルが医療モニタリング装置を共有している場合、リモート医療管理システムが誰の測定がなされているかを区別することが問題となる。
【０００４】
１つのアプローチは、インタラクティブなテレビ装置のセットボックスを介し通信するよう個別に割当て可能なパーソナル医療モニタを各患者に提供することである。１つの過程に２つの医療モニタを購入することはコストを２倍にするだけでなく、患者を特定し、クエリに応答するためなどのロジック及びメモリを含む医療モニタは、１人の患者しかいない場合に利用可能なベーシックでシンプルな医療モニタよりかなり高価なものとなる。複数の患者が老人ホームなど同じ施設に居住しているとき、このコストは増大する。
【０００５】
共有されるユニットは、対応する患者データにアクセスすることを可能にするインタフェースを有する必要がある。これは、対応するコンテンツ、履歴、評価及び目標モジュールを設けることを含む。これらは患者に固有の詳細であるため、共有されるユニットは、患者を認識し、このデータを対応する患者に関連付けることができる必要がある。さらに、システムに直接的に又はモニタリングインタフェースを介し患者サイドに入力されるデータは、当該データを正しい対応する患者に関連付ける必要がある。
【０００６】
さらに、患者は、自らの医療履歴の特定部分を共有することを所望しないかもしれず、このため、特定部分しか共有することを所望せず、又は共有ステーションを利用する他人からの完全なプライバシーを所望するかもしれない。これは、患者が必ずしもステーションを共有するすべての人々と知り合いではないかもしれない老人ホーム、支援施設、薬局、コミュニティセンターなどにおける一般的に利用について特に言えるかもしれない。
【０００７】
上述した問題点の少なくとも一部を解決する方法及び装置が必要とされる。
【課題を解決するための手段】
【０００８】
一特徴によると、健康管理システムが開示される。ユーザインタフェースは、患者識別情報の入力を可能にする。関連付け装置又は手段は、医療モニタリング装置により取得された生体データと入力された患者識別情報とを関連付ける。
【０００９】
他の特徴によると、健康管理システムが開示される。複数の生体装置が、患者の医療生体データを取得するため、患者ステーションに配置される。測定ゲートウェイが患者ステーションに割り当てられ、患者の取得された医療生体データをリモートステーションに送信するため、患者ステーションの生体装置と通信する。外部装置は、ユーザによる患者識別情報の手動による入力を可能にし、生体装置の外部に配置される。関連付けコンピュータルーチンは、各医療モニタリング装置により取得された生体データと入力された患者識別情報とを関連付ける。
【００１０】
他の特徴によると、健康管理方法が開示される。１以上の患者の生体データが、識別コンポーネントを欠落した生体医療装置により取得される。医療モニタリング装置により取得された生体データは、患者識別情報と関連付けされる。
【００１１】
以下は、各種コンポーネントと各コンポーネントの配置、及び各種プロセス処理及び各プロセス処理の配置における形態をとりうる。図面は、好適な実施例を例示するためのものであり、限定するものとして解釈されるべきでない。
【発明を実施するための最良の形態】
【００１２】
図１を参照するに、健康管理システム１０は、第１の若しくはケア提供者ステーション１２、又は患者ステーション１４及びホストセンター１６を有する。第１の又はケア提供者ステーション１２は、例えば、医師のオフィスや病院などのケア提供者サイトに配置され、端末２０を含む。端末２０の一例は、ホストセンター１６及び第２の若しくは患者ステーション１４とやりとりするためのハードウェア２４とユーザインタフェースソフトウェアなどの適切なソフトウェア２２を有するパーソナルコンピュータである。端末２０は、当該分野で知られるようなイントラネット接続を介し第１サーバ３０に接続される。
【００１３】
もちろん、ヘルス管理システム１０は、必要に応じて複数の第１ステーション１２、複数のホストセンター１６及び複数の第２ステーションを含む可能性がある。各ホストセンター１６は、典型的には、多数の患者ステーション１４とケア提供者ステーション１２と接続される。１つのケア提供者は、典型的には、複数の患者をモニタしている、同様に、１人の患者は複数のケア提供者を有するかもしれない。
【００１４】
インターネットなどの第１リンク４０は、第１ステーション１２とホストセンター１６との間の接続を提供する。あるいは、第１ステーション１２は、ワイヤレスＬＡＮ（Ｌｏｃａｌ  Ａｒｅａ  Ｎｅｔｗｏｒｋ）又はワイヤレスＷＡＮ（Ｗｉｄｅ  Ａｒｅａ  Ｎｅｔｗｏｒｋ）の無線ステーションである。
【００１５】
第２ステーション１４は、患者の自宅や住居に配置されるテレビ装置５０又は他の患者表示装置を有するインタラクティブなユーザ又は患者インタフェース４８を有する。ユーザインタフェース４８はさらに、テレビ装置５０のビデオディスプレイ５４とインタフェースをとるセットトップボックスなどの制御モジュール、プロセッサ、アルゴリズム又は手段５２を有する。制御モジュール５２は、アナログケーブル、デジタルケーブル、衛星又はデジタルブロードキャストテレビからのデータを、例えば、標準的なアナログテレビ装置５０、コンピュータモニタなどに表示するためチャンネル番号などの標準的なチャンネル周波数に変換及び表示する。一実施例では、制御モジュール５２はさらに、ＤＴＶモニタに表示するためのオフエアーデジタルテレビ（ＤＴＶ）信号を受信する。制御モジュール５２は、第２リンク５６を介しホストセンター１６から標準的なテレビ信号と患者情報信号などの信号を受信する。第２リンク５６の具体例として、有線接続、衛星接続、無線接続、光ファイバ接続及び他の双方向通信リンクなどがあげられる。
【００１６】
制御モジュール５２は、当該分野において知られているオーディオ／ビジュアル（ＡＶ）スイッチング装置などのスイッチング装置、アルゴリズム又は手段６０を介しビデオディスプレイ５４に接続される。スイッチング装置６０は、ディスプレイ５４のチューナからのテレビ受信と、ホストセンター１６との間の患者情報の送受信との間の切替を行う。あるいは、ビデオディスプレイ５４とのインタフェースを提供するよう構成される他の既知の何れかのタイプの入力装置が使用される。
【００１７】
例えば、患者情報信号は、情報、アクションなどのためビデオディスプレイに表示される情報、命令、サーベイ及びクエリを含む。患者情報信号はまた、ビデオ及びオーディオ健康問題プログラム、オーディオプログラム、ビデオメッセージ、オーディオメッセージ、健康若しくは生体情報を送信するためのリマインダなどを含む。例えば、制御モジュール５２は、患者情報信号が時間シフトされた表示などの以降の利用のため格納されるように、メモリ６４を有する。スイッチング装置６０が患者情報信号を送信するよう構成されるとき、制御モジュール５２は、メモリ６４からディスプレイ５４への患者情報信号を抽出し、又はホストセンターから受信した信号を転送する。ユーザインタフェース４８はさらに、赤外線又はＲＦ送受信機などの送受信機７２に信号を提供するリモートインタフェース装置７０を有する。送受信機７２からの信号は、制御モジュール５２に提供され、ビデオディスプレイ５４へのビデオ入力、入力される患者情報などを選択するよう機能する。一実施例では、リモートインタフェース装置７０は、ホームエンターテイメントシステムに通常使用されるものなどのリモコン装置である。他の実施例では、リモートインタフェース装置７０は、キーボードやマウスなどのコンピュータ入力インタフェース装置である。
【００１８】
ホストセンター１６は中央化され、特定の機能のための各種サーバを有する。ホストセンター１６のサーバの具体例として、関連するビデオコンテンツをディスプレイ５４に提供するビデオサーバ７４、生体又は生理データの測定結果を受け付ける測定サーバ７６、サーベイを生成するサーベイサーバ７８、医療上の教育セッションを生成及び送出する教育サーバ８０などがあげられる。しかしながら、ホストセンター１６は、異なるコンポーネント又は異なる機能を提供するサブセンターにより分散化されることが想定される。あるいは、複数の第２ステーション１４と１以上の第１ステーション１２とを接続する複数のホストセンター１６が存在するかもしれない。
【００１９】
第２ステーション１４は、患者の医療、モニタリング又は生体装置８２１，８２２，．．．のセットを有する。患者モニタリング装置８２１，８２２の具体例として、体重計、血圧装置、心電図、脳波図、オキシメータ、脳波測定装置、呼吸モニタ、体温計などがあげられる。２つのモニタリング装置しか示されていないが、モニタリング装置のセットは、１つ、３つ、４つの装置などを含むことができることが想起される。典型的な構成では、ユーザは、住居、アパートメント、支援施設アパートメントなどの住居にいて、医療スタッフとの容易で直接的なアクセスを有していない。このため、一部の実施例では、生体装置８２１，８２２が、効果的には、操作が簡単となるよう設計されている。例えば、指先ＳｐＯ２モニタが、指先モニタを患者の指先にクリップすることによって、飽和血液酸素レベルと心拍の両方を簡単に提供するのに利用可能である。生体装置は、患者に装着され、ホストセンターに生体読み取り結果を連続的に又はある間隔により通信する無線装置とすることが可能であり、患者が１日に１回以上利用して読み取りを行うケーブル装置などとすることが可能である。さらに又はあるいは、特定の測定結果が患者によりリモート装置７０を介し手動により入力されるかもしれない。あるいは、１以上の生体装置８２１，８２２は、ペースメーカーのセンサや注入ポンプなど、患者に移植可能である。収集されモニタされた又は手動による患者データは、処理のため測定サーバ７６にデータを送信する測定ゲートウェイ８４に提供される。任意的には、収集されモニタされた又は手動による患者データは、プリプロセッサによりフィルタリングされる。例えば、血圧は、ＥＣＧ信号を使用して無視又は破棄される誤った信号又はアーチファクトを特定することによって調べられる。フィルタリングはまた、ＥＣＧ信号のグループ化など、収集されたデータを１以上の関連情報グループに解析することを含むかもしれない。グループの信号は、整合性について互いに比較され、グループに整合しない信号が破棄又は無視される。
【００２０】
他の一例となるユーザインタフェース装置は、パーソナルコンピュータ（ＰＣ）、携帯情報端末（ＰＤＡ）、携帯電話、ポータブルコンピュータ、自動音声応答システムなどである。また、ディスプレイは、コンピュータモニタ、携帯電話やＰＤＡなどの携帯通信装置のディスプレイである。
【００２１】
一実施例では、第２ステーション１４は、第２ステーション１４とのリンクを提供するアンテナ及びオーディオ／ビデオ（ＡＶ）装置１０２などのＲＦインタフェース１００を有する。ＡＶ装置１０２の具体例として、ビデオカセットレコーダ（ＶＣＲ）、デジタルビデオディスク（ＤＶＤ）プレーヤー、ケーブルボックスなどがあげられる。ＡＶ装置は、テレビ装置５０と制御モジュール５２の少なくとも１つと通信する。
【００２２】
ホストセンター１６は、第１ステーション１２と第２ステーション１４との間の接続を有効にするための適切なハードウェア１１０、ソフトウェア１１２及び通信リンク１１４を含む複数のホストセンター端末１０８の１つを含む。
【００２３】
任意的には、健康管理システム１０は、第３サーバ１２４に接続されるアクセス端末１２２を介し、選択された家族のメンバーや友人などの許可されたユーザに患者情報へのアクセスを提供する情報又は第３ステーション１２０を有する。アクセス端末１２２の具体例として、パーソナルコンピュータ、制御モジュールを含むビデオディスプレイ、ＰＤＡ、ポータブルコンピュータ、携帯電話などがあげられる。第３ステーション１２０とホストセンター１６との接続は、第３リンク１２６を介した有線又は無線接続であるかもしれない。
【００２４】
図１を参照し続けながら、図２をさらに参照して、医療装置８２１，８２２により取得された測定結果が、医療装置８２１，８２２の外部の関連付け手段、装置、アルゴリズム又はコンピュータルーチン１３０により患者に関連付けされる。例えば、関連付け手段１３０は、医療装置８２１，８２２，．．．に含まれない。より詳細には、測定又はモニタリングセッション１３２は、患者又はユーザによりスタートされる（１３４）。例えば、患者が、ユーザインタフェースを測定モードに切り替え、プッシュボタン、タッチ画面上のアイコンなどのスタートスイッチ１４０を押下する。各患者は、コンピュータ端末、リモート装置７０、インタラクティブテレビ５０などを利用して識別装置１４４に自らを識別させる。例えば、患者は、名前などの当該患者の識別情報によりマークされたディスプレイ５４上のボックス１４６を選択する。患者の識別情報を受け付けると、識別装置１４４は医療装置８２１，８２２によるデータ取得セッションのスタート１５０をトリガーする。関連付け装置１３０は、測定装置により収集された生理データ又は測定結果を受け付け、医療装置８２１，８２２により収集された生理データを入力された患者識別情報に関連付ける（１５２）。もちろん、患者識別情報は、患者識別カードや患者識別情報を送信する他の何れかの装置などの他の手段を介し入力可能である。各患者に関連付けされた測定データは、ストレージ１５６に格納される（１５４）。このように、モニタリングセッション１３２がスタートした後、セッションがクローズ（１５４）又はタイムアウトするまで、セッションに係る患者に以降のすべての読み出し結果が帰属する。例えば、患者は、ディスプレイ５４上のストップセッションプッシュボタン１６０を起動する。関連付け手段１３０は、医療装置８２１，８２２から特定された患者との関連付けを解除する。このようにして、複数の患者の測定結果が各患者に関連付けされ、格納される。その後、測定結果データは、各患者の身元に基づきストレージ１５６から抽出され、ホストステーション１６などに送信される。もちろん、測定結果はまた、リアルタイムにホストセンターに直接送信可能である。
【００２５】
図３〜５を参照して、生理的な読み取り結果が、当該結果が属する患者に関係なく取得可能である。ソータ１７０は、患者間の読み出し結果を以降にソートする。より詳細には、モニタリングセッション１３２がスタートする（１３４）。同時に、データ取得セッションがスタートする（１５０）。患者の生理測定結果が取得され、ストレージ１５６に格納される（１７２）。モニタリングセッション１３２は、ユーザがストッププッシュボタン１６０を起動することによって又はタイマーによってクローズされる（１５８）。以降に、ソーティングセッション１７４がオープンされる（１７６）。ソーティングセッション１７４は、ユーザインタフェース４８、第１ステーション端末２０、ホストセンター端末１０８、第３ステーション端末１２２又は他の何れか適切なネットワーク端末を介し患者又は第三者によりオープンされるかもしれない。例えば、患者が、ディスプレイ５４上に表示すべき測定結果データを呼び出す（１７８）。患者は、リモート装置７０を利用して、測定結果が取得された日時を患者が知ると、自らの測定結果データを識別する（１８０）。他の例として、医療スタッフは、電話による通話を介し測定結果データを識別することが可能である。
【００２６】
患者の間の読み出し結果が典型的には大きく異なっている一実施例では、ソータ１７０は、読み取り結果を正しい患者と識別するため、自動的に読み取り結果をソートする。ソータには、パラメータに関する区別化が設けられてもよく、患者を区別するため学習するロジックプログラムを利用してもよい。関連付け装置１３０は、測定結果データを識別された各患者に関連付け（１５２）、又は曖昧さがある場合、手動による分類を求める。患者に関連付けされた測定結果データは、ストレージ１５６に格納される（１５４）。
【００２７】
他の実施例では、ゲートウェイ８４が薬局などの公共の場所に配置される。多数の患者が、薬局にある同じモニタリング装置を個別に利用して、各種の生理的な読み取り結果を取得し、これらの結果を再び正しい患者に関連付けることができる。このような公共のステーションにおいて取得された生理的な読み取り結果は、例えば、第１、第２、第３ステーション又は他の何れか適切な処理ユニットの少なくとも１つに処理のため送信される。
【００２８】
図６を参照して、サーベイサーバ７８は、上述した方法により識別された患者又はユーザからのフィードバックによりコンテンツ制御又は規定された一意的なサーベイを生成する。図６の一例となるシステム１０では、フィードバックパスは、識別されたユーザがサーベイサーバ７８に応答入力を提供することを可能にするユーザインタフェース４８を有する。ユーザインタフェース４８により提供されるフィードバックは、コンテンツにより提起される質問に対する回答、サーベイ、クイズ、テスト、アンケートなどに対する回答を含むかもしれない。フィードバックパスはまた、患者の生体又は生理パラメータをモニタする１以上の生体装置８２を含むかもしれない。
【００２９】
測定サーバ７６とサーベイサーバ７８の少なくとも１つが、第１フィードバックパス２２０と第２フィードバックパス２２２を介しそれぞれの入力を受け付ける。任意的には、測定サーバ７６とサーベイサーバ７８の第１プリプロセッサ２３０と第２プリプロセッサ２３２は、コンテンツフローを制御するためにそれを使用する前に、入力の前処理を実行してもよい。
【００３０】
一実施例では、患者インタフェース４８は反射的なサーベイを受け付ける。サーベイサーバ７８は、どのように感じるか、異常なバイタルサイン、医療的に重要なデータ、以前に完了した（又は完了していない）サーベイなどの客観的又は主観的データに基づき反射的サーベイを生成する。反射的サーベイは、ルールがモニタ８２１，８２２，．．．による患者の生理測定結果及び主観的質問に対する患者の応答に適用されることにより開始される。ユーザインタフェース４８は、患者がサーベイセッションをスタートし、自らを認証させ、サーベイに対する回答を入力することを可能にする。サーベイの回答は、第２フィードバックパス２２２の一部を表し、それを介して、特定の患者に係るサーベイ回答がサーベイサーバ７８に転送される。
【００３１】
より具体的には、サーベイサーバ７８は、第１フィードバックパス２２０に含まれ、測定サーバ７６に転送されるモニタされたバイタルサイン測定結果データにおける１以上のトリガーイベントに基づき反射的サーベイを生成する。例えば、異常な心拍を有する患者に対しては、サーベイサーバ７８は、自分の心臓や心臓に影響を与えたかもしれないライフスタイルの変化などの他の状態に関して患者に紹介するよう設計された反射的サーベイを生成する。サーベイサーバ７８は、ダイナミックベースにより反射的サーベイをカスタマイズし、及び／又は以前に生成された対象アイテムを生成するトリガーイベントに対する質問と回答を利用する。例えば、対象アイテムは、何れか異常な又は医療的に重要なデータ、患者の診断情報、患者の精神的又は身体状態を含む関係があると考えられる患者の何れかの特徴を含む。
【００３２】
他の例として、サーベイサーバ７８は、第１及び第２の通知されたフィードバックの少なくとも１つ、患者プロファイル２３４及び予め設定された閾値に基づき、患者に対する一意的なサーベイを生成する。サーベイサーバ７８により使用される予め設定された閾値は、前の値からの変化の絶対値又はパーセンテージとすることが可能である。この閾値は、他の主観的データ（前のサーベイに対する回答など）の“スコア”に適用可能である。
【００３３】
図６を引き続き参照して、教育サーバ８０は、サーベイ、バイタルサイン測定結果、健康評価などに関連する教育コンテンツを自動的に送出する。教育コンテンツは、患者の健康管理の教育的な目的を実現するため協調する複数のコンテンツセッション２４０，２４２，．．．において構成される。例えば、減量、禁煙、減塩食などの食事制限に従うための学習、高繊維食などの食事要求に従うための学習、物理的運動の実行など異なるコンテンツセッションが、提供されるかもしれない。コンテンツセッション２４０，２４２，．．．の個数は、１つのコンテンツセッションから５，１０以上のコンテンツセッションまで可変的なものとすることができる。コンテンツセッションは、予め記録されたオーディオ／ビデオコンテンツ、テキストコンテンツ、インタラクティブサーベイ、クイズ、アンケート若しくはテストコンテンツ、予め記録されたステップ毎のインタラクティブオーディオ／ビジュアルコンテンツなどの各種タイプのコンテンツを含めることができる。
【００３４】
教育コンテンツは、測定サーバ７６により受け付けされ、任意的には第１プリプロセッサ２３０により前処理される第１フィードバック入力２２０と、サーベイサーバ７８により受け付けされ、任意的に第２プリプロセッサ２３２により前処理された第２フィードバック入力２３２と、患者プロファイル２３４と、さらにコンテンツフロールールとに基づき、ルールベースのコンテンツフローエンジン２４６によりユーザに送出される。ユーザは、典型的には、上述されたようなユーザインタフェース４８等で自らを識別させることによって、教育セッションをスタートする。あるいは、モニタされた生理状態に基づき、セッションが自動的にスタート可能である。
【００３５】
図１を再び参照して、ユーザインタフェース４８は、未修正及び／又は拡張された形式によりコンテンツ提示を提供し、第２サーバ４２にフィードバックを提供することが可能な実質的に任意のハードウェアを利用可能である。例えば、ユーザインタフェース４８は、デスクトップコンピュータ、ラップトップコンピュータ、携帯情報端末（ＰＤＡ）、携帯電話（すなわち、セルフォン）、一体的に内蔵されたインターネット接続性を有し、テレビリモコン又は他の入力装置により操作されるテレビ装置、アドオンセットトップユニットにより提供されるインターネット接続性を有し、テレビリモコン、セットトップユニットリモコン又は他の入力装置により操作されるデジタル又はアナログテレビ装置などのハードウェアにより実現可能である。第２サーバ４２のコンポーネントは、中央コンピュータ又はコンピュータサーバ、デスクトップコンピュータなどにより各種方法で実現可能である。
【００３６】
図１を再び参照しながら、さらに図７を参照して、健康管理システム１０のコンポーネントの相対的に中央化された一例となる構成では、第２サーバ４２は、上述された方法により第２ステーションの位置１４１，１４２，．．．，１４ｎにいる患者にサービスを提供する中央サーバである。各ステーションの患者の人数は、公共ステーションにいる多数の患者など１，２，３以上の患者である可能性がある。各患者は、対応するパーソナル化された患者プロファイル２３４１，２３４２，．．．，２３４ｎを有する。例えば、プロファイル２３４１，２３４２の患者は第１ステーション１４１に割り当てられ、プロファイル２３４３の患者は第２ステーション１４２に割り当てられるなどする。患者とリモート中央第２サーバ４２との間の通信は、有線又は無線ネットワーク接続などの第２リンク５６により実現される。例えば、第２リンク５６は、セキュアな高速無線又は有線インターネットリンクとすることが可能である。第２リンク５６は、効果的にはセキュアリンクである。なぜなら、プライベートな医療情報は第２リンク５６により伝送されるかもしれないためである。しかしながら、非セキュアな接続がまた利用可能である。いくつかの実施例では、患者は複数のユーザインタフェースを有するかもしれない。例えば、第２サーバ４２が高速インターネット接続によりアクセス可能である場合、ユーザは、患者のホームコンピュータ、携帯情報端末（ＰＤＡ）、インターネット対応携帯電話、一体的に内蔵されたインターネット接続性を有し、テレビのリモコンにより操作されるテレビ装置、アドオンセットトップユニットにより提供されるインターネット接続性を有し、テレビのリモコンにより操作されるテレビ装置、又は他のインターネット対応装置を介し、第２サーバ４２にアクセス可能であるかもしれない。第２サーバ４２がケーブルテレビネットワーク、携帯電話ネットワークなどによりアクセス可能である場合、ユーザは、各自のケーブルテレビ装置、携帯電話（すなわち、セルラーフォン）などにより第２サーバ４２にアクセス可能であるかもしれない。
【００３７】
図８を参照して、健康管理システム１０のコンポーネントの相対的に分散化された一例となる構成では、第２サーバ４２とユーザインタフェース４８は、コンピュータ２５０、携帯情報端末（ＰＤＡ）又は患者の住居に設けられ、患者に携帯され又は患者に容易にアクセスされる他のデジタル電子装置により実現される。医療コンテンツは、ケーブル若しくは衛星テレビネットワーク、携帯電話ネットワーク、インターネットを介し第１ステーション端末２０からダウンロード可能であり、又は患者のコンピュータ２５０、スマートテレビ、ＰＤＡ、携帯電話又は他の装置にロード可能である。例えば、図示されたステーションに割り当てられている患者は２人であり、２つの患者プロファイルが示されているが、複数の患者がこのような中央ステーションに割当て可能である。
【００３８】
図７及び８に示される健康管理システム１０のコンポーネントの中央化及び分散化された構成又はレイアウトは、例示的なものである。他の構成が利用可能である。例えば、いくつかの実施例では、第２サーバ４２の特定の部分は中央サーバコンピュータに常駐し、第２サーバ４２の他の部分は患者のコンピュータに常駐するかもしれない。例えば、サーバは、病院又は他の中央位置にある中央サーバコンピュータに配置され、多数の患者の患者プロファイルとコンテンツセッションを格納するが、ルールベースコンテンツフローエンジン２４６は、患者の住居にある患者のコンピュータ上で実行及びダウンロードされる実行可能プログラムであるかもしれない。いくつかの実施例では、第２サーバ４２の一部の複製されたコピー又はその一部は、中央サーバコンピュータと患者のコンピュータの両方に常駐するかもしれない。後者の構成の一例として、患者の生体測定結果が、患者によるアクセスを容易にするため患者のコンピュータに格納され、さらに医師による診断のため中央サーバコンピュータに送信されてもよい。
【００３９】
上記説明は、測定結果データと特定の患者を関連付け、これにより、測定結果データを正しいケアプランに含めることに関するものであるが、このようなシステムは、複数のユーザがステーションを共有するロウバストなシステムに配置可能であることが理解されるべきである。例えば、各ケアプランは、正しい認証秘密を有するもののみへの制限されたアクセスを可能にする関連付け手段を有する必要がある。いくつかのケースでは、これはパスワードとすることが可能であり、リモート装置の利用などの他のケースでは、パスワードはまた、装置の登録及び検証プロセスを伴う可能性がある。さらに、音声認識、虹彩識別、指紋認識、カードリーダ、他のタイプの生体、電子及び物理セキュリティなどの他のタイプの識別が利用可能である。
【００４０】
患者がユーザインタフェース４８などを介しパスワード又はパスコードをシステムに入力すると、対応するケアプランが抽出され、患者はコンテンツ、履歴データ、通信、評価データ及びモニタリングセッションを含むケアプランに係る各種目標モジュールを確認することができる。いくつかの例では、セカンダリーパスワード又はパスコードが、ケア提供者又は患者の世話をしている家族メンバーにより使用のため提供することができる。このようなケースでは、セカンダリーパスワード又はパスコードの入力は、ユーザに履歴データ、通信コンテンツ、評価データ及びモニタリングセッションを含む各種目標モジュールに関する情報への制限されたアクセスを提供するであろう。許可されているアクセス量は、患者、ケアプラン設計者又は適切な認証を有するケア提供者により設定可能である。例えば、患者は、特定の病気又はそれらの通信についてのプライバシーを所望するかもしれないが、他の目的のアクセスは許可するかもしれない。他のケースでは、限定されたアクセスは、患者の希望、アクセスを付与された人、病気のタイプ、患者の能力又は他のそのような要因に応じて変更されるかもしれない。
【００４１】
本出願は、同一のハードウェア上の２人より多くのユーザにより利用可能であることが理解されるべきである。このようなアプリケーションは、すべての住人が同じハードウェアにアクセスする介護ホーム、３世代（子供、両親、祖父母）が同じハードウェアを介し健康状態を受け付ける住居、ブロードバンド技術が各家庭に届いておらず、その代わりに中央ポストに設置され、患者がそこにやってくる否かのポスト（この状況は、しばしば農地、森林地帯、砂漠地帯、山岳地帯及び他の同様の不便な環境において存在する）、及び患者が集まる小売環境（薬局や小売店など）に配置可能である。
【００４２】
本開示は一般に、データを送受信するためのステーションについて記載しているが、このような用語は、本出願の範囲をセットトップボックスなどの固定装置に限定することを意図しておらず、モバイル、移動可能及びリモート装置などの他の装置に適用可能であることが理解されるべきである。このため、上記装置の何れも請求項の範囲内に含まれるものとして利用可能であることが理解されるべきである。
【００４３】
好適な実施例を参照して、本発明が説明された。明らかに、上記詳細な説明を参照及び理解すると、改良及び変更が想到するであろう。このような改良及び変更は、添付した請求項及びその均等の範囲内にある限り、本発明は上記改良及び変更を含むものとして解釈される。
【図面の簡単な説明】
【００４４】
【図１】図１は、一例となる健康管理システムの主要なコンポーネントを概略的に示す。
【図２】図２は、一例となるモニタリングセッションのフローチャートである。
【図３】図３は、健康管理システムの一部を概略的に示す。
【図４】図４は、一例となるモニタリングセッションのフローチャートである。
【図５】図５は、一例となるソーティングセッションのフローチャートである。
【図６】図６は、健康管理システムの一部を概略的に示す。
【図７】図７は、健康管理システムのコンポーネントの適切な相対的に中央化された構成を概略的に示す。
【図８】図８は、健康管理システムのコンポーネントの適切な相対的に分散化された構成を概略的に示す。
【図１】
2009520282.tif 000003
【図２】
2009520282.tif 000004
【図３】
2009520282.tif 000005
【図４】
2009520282.tif 000006
【図５】
2009520282.tif 000007
【図６】
2009520282.tif 000008
【図７】
2009520282.tif 000009
【図８】
2009520282.tif 000010
【国際調査報告】
2009520282.tif 000011
2009520282.tif 000012
2009520282.tif 000013
2009520282.tif 000014